(57)【要約】    【課題】送水用ポンプが斜めに傾いた場合であっても、分岐吸水管を閉鎖して、空気の進入を確実に阻止することができる開閉装置を提供すること。    【解決手段】装置本体６１と、前記装置本体６１の通液路６１ａ内に設けた回動軸６２に軸支される開閉弁６３と、障害物である締切部の一方の側に溜った水面位置の変動に連動して前記開閉弁６３を回動させて通液路６１ａを開閉させる連動部材６６とを備えたことを特徴とする。  【選択図】図３
2008231983.tif 000002
【特許請求の範囲】
【請求項１】
障害物の両側に誇設された送液管を通じて、前記障害物の一方の側に溜まった液体をサイホン作用を利用して他方側へ移動させる送液用ポンプに直接的又は間接的に接続される開閉装置であって、
前記送液管に繋がる通液路を構成する装置本体と、
前記装置本体内において回動又は摺動することで前記通液路を開閉する開閉弁と、
前記障害物の一方の側に溜った水面位置の変動に連動して前記開閉弁を開閉動させる連動部材と、
を備えたことを特徴とする開閉装置。
【請求項２】
連動部材が、前記障害物の一方の側に溜った水面上に配されるフロートと、
障害物の一方の側に溜った水面位置の変動に伴うフロートの位置変化に従って引張弛緩される連結部材と、
前記連結部材の引張弛緩に伴って装置本体の通液路内に設けた回動軸周りに回動する開閉コックと、
からなり、前記障害物の一方の側に溜った水面位置の変動に伴う前記フロートの位置変化に従って前記連結部材が引張弛緩され、これに伴って前記開閉コックが前記回動軸周りに回動することで同軸に軸支された開閉弁が回動し、前記装置本体の通液路を開閉するようにしたことを特徴とする請求項１記載の開閉装置。
【請求項３】
開閉コックの一方端が回動軸に軸支され、かつ他方端にフロートからの連結部材の一端が接続されており、該開閉コックが前記フロートの自重によって弛緩方向に付勢されていることを特徴とする請求項２記載の開閉装置。
【請求項４】
連動部材が、障害物の一方の側に溜った水面位置の変動を検知する水位センサーと、
前記水位センサーからの信号を受けて開閉弁を開閉動させる駆動部と、
からなり、前記障害物の一方の側に溜った水面位置の変動を検知した水位センサーからの信号を受けて前記駆動部が駆動して前記開閉弁を回動軸周りに回動させて装置本体の通液路を開閉するようにしたことを特徴とする請求項１記載の開閉装置。
【請求項５】
開閉弁の回動軸と直交する方向の一方端部表面に液流を受ける羽根部材が設けられていることを特徴とする請求項１〜４のいずれかに記載の開閉装置。
【請求項６】
装置本体内に開閉弁の回動範囲を規制するストッパーが設けられていることを特徴とする請求項１〜５のいずれかに記載の開閉装置。
【請求項７】
連動部材が、障害物の一方の側に溜った水面上に配されるフロートと、
フロート上面に立設固定され、障害物の一方の側に溜った水面位置の変動に伴うフロートの位置変化に従って昇降動する連結杆と、
からなり、前記障害物の一方の側に溜った水面位置の変動に伴う前記フロートの位置変化に従って前記連結杆が昇降動し、これに伴って開閉弁が摺動して装置本体の通液路を開閉するようにしたことを特徴とする請求項１記載の開閉装置。
【請求項８】
連動部材が、障害物の一方の側に溜った水面位置の変動を検知する水位センサーと、
前記水位センサーからの信号を受けて開閉弁を摺動させる駆動部と、
からなり、前記障害物の一方の側に溜った水面位置の変動を検知した水位センサーからの信号を受けて前記駆動部が駆動して前記開閉弁を摺動させて装置本体の通液路を開閉するようにしたことを特徴とする請求項１記載の開閉装置。
【請求項９】
装置本体内に開閉弁の摺動範囲を規制するストッパーが設けられていることを特徴とする請求項７又は８に記載の開閉装置。
【請求項１０】
請求項１〜９に記載の開閉装置を使用したことを特徴とする液体の送液方法。
【発明の詳細な説明】
【技術分野】
【０００１】
本発明は、例えば河川の橋脚工事や堰堤工事等において、障害物を設けて河川をせき止めたとき上流側に溜った水などをサイホン作用を利用して下流側へと移動させる送液用ポンプに接続される開閉装置、並びにその開閉装置を使用した液体の送液方法に関する。
【背景技術】
【０００２】
例えば河川の橋桁や堰堤等の工事を行なう場合は、図１０に示すように、工事箇所１の上流側及び下流側で、河川を横断する方向に障害物２を設けて締切工事を行っている。上流側に溜った水は、一般にエンジン式発電機３により発電し、水中ポンプ４を駆動してホース５を通して下流側に流している。また、砂防工事においても、同様に、締切工事をした障害物２部分に溜った水は、水中ポンプ４を利用してホース５を通して下流側に流している。
【０００３】
上記工事においては、エンジン式発電機３及び水中ポンプ４を連続して運転するため、つぎのような問題が発生する。
（１）定期的に給油作業を行わなければならないので、保守に手間がかかる。排水作業は昼夜を問わず行なうので、給油作業を行なう作業員の負担が大きい。
（２）エンジンの排ガスにより環境汚染が発生する。
（３）騒音が大きく、特に夜間においては近隣の迷惑になる。
（４）燃費等の運転費用が嵩む。
【０００４】
本発明者は、上記の問題の解決を目的として、水中ポンプの稼働時間を短縮して運転費用を節約し、簡単な装置で水を移動させることができる送水装置に使用される送水用ポンプを提供した（特許文献１参照）。
【０００５】
図１１〜図１３に示すように、この送水用ポンプ２０は、障害物の両側に跨設され一方の端部が水中に浸漬され他方側の端部が一方の端部の水位面よりも下方に位置する送水管１４を通じて一方側に溜った水を障害物の他方側へ移動させる送水装置１０に使用されるものであって、水中に浸漬され吐出側が送水管１４の一方の下端部１４ｂに接続された水中ポンプ２１と、この水中ポンプ２１の吐出側を囲んでその外側に設けられる吸水孔２２ａを有する分岐吸水管２２と、前記水中ポンプ２１の吐出側に設けられ前記送水管１４と分岐吸水管２２とを連通する連通孔（図示しない）とを備えたことを特徴とするものである。
【０００６】
上記構成を備えた送水用ポンプを用いた場合、該送水用ポンプを初期の期間だけ駆動させれば送水管内の水の流れが定常状態になり、そこで送水用ポンプを停止させれば、サイホン作用によって引き続き、送水が行われるので、水中ポンプの運転時間を著しく短縮することができ、運転費用を節約し、排ガスによる環境汚染や騒音等の公害の発生を防止することができるという優れた効果を奏する。
【０００７】
また特許文献１には、別の形態として図１２及び図１３に示すように、送水管１４からほぼ直角に分岐吸水管２５を分岐させ、この分岐吸水管２５の支点２６を中心に回動可能とした第２の開閉弁２７を設け、水位に連動して分岐吸水管２５を開閉させるようにした送水用ポンプが示されている。
【０００８】
第２の開閉弁２７は、軟質弾性材例えば軟質ゴム或は合成樹脂から中空体に形成されたフロート状の浮上部２７ａと、分岐吸水管２５の端面に当接する弁座２７ｂを一体に形成したものであるため、構成が簡単であり、分岐吸水管２５の閉鎖時期が的確に実施されて、送水を効率的に実施できるという効果を奏する。
【０００９】
またこの開閉弁２７によれば、上流側の水位が下がると、該第２の開閉弁２７が分岐吸水管２５を閉鎖（図１３参照）するようになっているので、サイホン作用による送水は一旦停止することになる。その後、水位が上昇すれば、再び第２の開閉弁２７が浮上して分岐吸水管２５が開放され、サイホン作用を利用した送水が再開するので、送水が継続して実施されるという効果も奏する。
【特許文献１】特許第３０９９２２７号公報
【発明の開示】
【発明が解決しようとする課題】
【００１０】
ところが、上記開閉弁２７の場合、上流側の水位の変化に伴ってフロート状の浮上部２７ａが浮き沈みし、水位が下がることで開閉弁２７が分岐吸水管２５を閉鎖するようになっていることから、送水用ポンプが斜めに傾いた場合には、開閉弁２７によって分岐吸水管２５を閉鎖できない場合も生じていた。この場合、空気の進入によってサイホン作用が働かず、再度水中ポンプを駆動させなければならないという煩雑さがあった。また、図１３に示すフロート状の浮上部２７ａは、軟質ゴムなどのフレキシブルな素材から成る袋状物であるため、吸水時に分岐吸水管２５の中まで吸い込まれてしまうことがある。この場合、水位が上昇しても、その部分が分岐吸水管２５内に吸着されて浮上部２７ａが浮上できないため、分岐吸水管２５が開放されず、サイホン作用を利用した送水が再開できない事態に至るおそれがあった。
【００１１】
本発明は、上記送水用ポンプの開閉弁をさらに改良したものであり、送水用ポンプが斜めに傾いた場合であっても、分岐吸水管を閉鎖して、空気の進入を確実に阻止することができ、しかも水位が上昇したときには、サイホン作用を利用した送液が確実に再開されるようにした開閉装置、並びにその開閉装置を使用した液体の送液方法を提供することを目的とするものである。
【課題を解決するための手段】
【００１２】
上記目的を達成するため、本発明は、障害物の両側に誇設された送液管を通じて、前記障害物の一方の側に溜まった液体をサイホン作用を利用して他方側へ移動させる送液用ポンプに直接的又は間接的に接続される開閉装置であって、
前記送液管に繋がる通液路を構成する装置本体と、前記装置本体内において回動又は摺動することで前記通液路を開閉する開閉弁と、前記障害物の一方の側に溜った水面位置の変動に連動して前記開閉弁を開閉動させる連動部材とを備えたことを特徴とする開閉装置をその要旨とした。
【００１３】
本発明の開閉装置において、障害物の一方の側に溜った水面位置の変動に連動して開閉弁を開閉動させる連動部材としては、例えば図１〜図６に示すように、障害物の一方の側に溜った水面上に配されるフロートと、障害物の一方の側に溜った水面位置の変動に伴うフロートの位置変化に従って引張弛緩される連結部材と、前記連結部材の引張弛緩に伴って装置本体の通液路内に設けた回動軸周りに回動する開閉コックとからなるものを挙げることができる。
【００１４】
このような連動部材を採用した場合、障害物の一方の側に溜った水面位置の変動に伴う前記フロートの位置変化に従って連結部材が引張弛緩され、これに伴って前記開閉コックが回動軸周りに回動することで同軸に軸支された開閉弁が回動し、装置本体の通液路を開閉するようになる。
【００１５】
また別の連動部材としては、例えば図７に示すように、障害物の一方の側に溜った水面位置の変動を検知する水位センサーと、前記水位センサーからの信号を受けて開閉弁を開閉動させる駆動部とからなるものを挙げることができる。
【００１６】
このような連動部材を採用した場合、障害物の一方の側に溜った水面位置の変動を検知した水位センサーからの信号を受けて駆動部が駆動して開閉弁を回動軸周りに回動させて装置本体の通液路を開閉するようになる。
【００１７】
また別の連動部材としては、例えば図８に示すように、障害物の一方の側に溜った水面上に配されるフロートと、フロート上面に立設固定され、障害物の一方の側に溜った水面位置の変動に伴うフロートの位置変化に従って昇降動する連結杆とからなるものを挙げることができる。
【００１８】
このような連動部材を採用した場合、障害物の一方の側に溜った水面位置の変動に伴う前記フロートの位置変化に従って連結杆が昇降動し、これに伴って開閉弁が摺動して装置本体の通液路を開閉するようになる。
【００１９】
さらに別の連動部材としては、例えば図９に示すように、障害物の一方の側に溜った水面位置の変動を検知する水位センサーと、前記水位センサーからの信号を受けて開閉弁を摺動させる駆動部とからなるものを挙げることができる。
【００２０】
このような連動部材を採用した場合、障害物の一方の側に溜った水面位置の変動を検知した水位センサーからの信号を受けて駆動部が駆動して開閉弁を摺動させて装置本体の通液路を開閉するようになる。
【発明の効果】
【００２１】
本発明の開閉装置は、障害物の両側に誇設された送液管を通じて、前記障害物の一方の側に溜まった液体をサイホン作用を利用して他方側へ移動させる送液用ポンプに直接的又は間接的に接続されるものであり、該開閉装置によれば、送液管に繋がる通液路を構成する装置本体内に設けた開閉弁が、障害物の一方の側に溜った水面位置の変動に連動する連動部材によって装置本体内において回動又は摺動することで前記通液路を開閉するようになっていることから、送液用ポンプが斜めに傾いた場合であっても、水位が下がった場合には装置本体内の開閉弁が閉動して該装置本体の通液路を閉鎖するので、空気の進入を確実に阻止することができ、しかも水位が上昇したときには、サイホン作用を利用した送液が確実に再開される。
【発明を実施するための最良の形態】
【００２２】
以下、本発明の開閉装置、並びにその開閉装置を使用した液体の送液方法を図面に示した一実施の形態に従った詳細に説明する。尚、本発明の液体の送液方法は、本発明の開閉装置を説明する中で説明する。本発明は送液用ポンプに接続される開閉装置に関するものであり、図１には、この開閉装置を接続した送液用ポンプを河川の橋脚や堰堤の建設に行われる締切り工事に適用した具体例を示した。図１において、河川の締切部４１の上流側には流下した水を貯留する上流側貯留部４２が設けられ、締切部４１の下流側には、前記上流側貯留部４２の水位よりも低い位置に下流側貯留部４３が設けられている。
【００２３】
河川を締め切る締切部４１を跨ぐように送液管４４が配置され、この送液管４４の一端４４ａが上流側貯留部４２に配され、他端４４ｂが下流側貯留部４３に配されている。この送液管４１の上流側貯留部４２に配される一端４４ａ側に送液用ポンプ５０が接続されている。
【００２４】
送液用ポンプ５０は、サイホン作用を利用して送液するものであり、水中ポンプ５１と分岐吸液管５２とからなる。水中ポンプ５１は従来周知のものであり、その吐出側５１ａが本発明の開閉装置６０の装置本体６１下端に接続されており、電力線またはエンジン発動機からの電力によって駆動するようになっている。
【００２５】
分岐吸液管５２は、前記水中ポンプ５１の吐出側部分５１ａに開口し、この部分５１ａから略直角に分岐され、前記水中ポンプ５１と共に上流側貯留部４２の水面下に浸漬されている。この分岐吸液管５２の水中ポンプ５１の吐出側部分５１ａに形成された開口５２ａには、開閉蓋５２ｂが回動可能に軸支されている。
この開閉蓋５２ｂは、前記水中ポンプ５１が駆動しているときは、吐出側部分５１ａへの開口５２ａを閉鎖し、水中ポンプ５１が停止したときは、吐出側部分５１ａへの開口５２ａを開放するように動作するようになっている。またこの開閉蓋５２ｂは、水中ポンプ５１の駆動中、水中ポンプ５１によって吸い上げられた液体が分岐吸液管５２側へ逆流するのを防止する働きがあり、開口５２ａ周辺での渦の発生を防ぎ、送液効率をより高める効果を奏する。
【００２６】
上記の如く構成された送液用ポンプ５０にあっては、上流側貯留部４２の水位上昇に伴って水中ポンプ５１を駆動させる。水中ポンプ５１下部の吸入口５１ｂから吸い込まれた液体は、図１中矢印Ａに示すように、吐出側部分５１ａからこれに繋がる開閉装置６０を経由して送液管４４の一端４４ａから送液管４４を通り、送液管４４の他端４４ｂから下流側貯留部４３へと送液される。
【００２７】
上記送液が定常状態となり、送液管４４内が満水状態となったとき、水中ポンプ５１を停止させる。するとサイホン作用の働きによって、開閉蓋５２ｂが開いて吐出側部分５１ａへの開口５２ａが開放し、引き続き図１中矢印Ｂに示すように、分岐吸液管５２下部に設けた吸入口５２ｃから上流側貯留部４２内の液体が吸い込まれ、吐出側部分５１ａ、これに繋がる開閉装置６０を経由して送液管４４の一端４４ａから送液管４４を通り、送液管４４の他端４４ｂから下流側貯留部４３へと送液されるようになる。
【００２８】
上記送液用ポンプ５０によるサイホン作用を利用した送液は、上流側貯留部４２内の水位が所定高さまで低下すると、開閉装置６０の働きにより送液管４４への流路が閉鎖され、送液が停止される。上流側貯留部４２内の水位が所定高さまで回復したとき、開閉装置６０の働きにより送液管４４への流路が開放され、再びサイホン作用を利用した送液が再開される。次に、このような作用効果を奏する開閉装置６０について詳説する。尚、本発明の開閉装置を接続した送液用ポンプは、河川の橋脚や堰堤の建設工事などの他に、水処理場の水処理設備、工場の排水処理設備や廃油処理設備における汚水や廃液の処理、廃油の処理の際の送液にも利用することができる。尚、本発明の開閉装置が直接的又は間接的に接続される送液用ポンプには、上述したものの他、従来公知の水中ポンプを利用することもできる。
【００２９】
本発明の開閉装置は、送液管に繋がる通水路を構成する装置本体と、装置本体装置本体内において回動又は摺動することで前記通液路を開閉する開閉弁と、障害物の一方の側に溜った水面位置の変動に連動して前記開閉弁を開閉動させる連動部材とを備えたことで特徴付けられたものであり、障害物の一方の側に溜った水面位置が変動したとき、これに連動して装置本体の通液路内の開閉弁を開閉させる連動部材には、様々な形態のものを採用することができる。まず、図１〜図６に示す連動部材を採用した開閉装置６０について説明する。
【００３０】
図１〜図６に示す開閉装置６０は、送液用ポンプ５０に直接的に接続される形態を示すものであり、装置本体６１と、前記装置本体６１の通液路６１ａ内に設けた回動軸６２に軸支される開閉弁６３と、障害物である締切部４１の一方の側に溜った水面位置の変動に連動して前記開閉弁６３を回動させて通液路６１ａを開閉させる連動部材６６とを備えたことを特徴とするものである。
【００３１】
この開閉装置６０において、装置本体６１は円筒状をなしており、送液用ポンプ５０と前記送液管４４とを繋ぐ通水路６１ａを構成するようになっている。この装置本体６１の通液路６１ａ内には、液体の通過方向と直交する方向に回動軸６２が横設されており、この回動軸６２に通液路６１ａを開閉する開閉弁６３が回動可能に軸支されている。開閉弁６３は、装置本体６１の通液路６１ａを閉蓋することができるように、通液路６１ａの断面形状に対応する大きさの円盤状に設けられている。尚、開閉弁６３は、装置本体６１の通液路６１ａ内で回動し、かつこの通液路６１ａを閉塞可能なものであるならば、その形状や大きさは特に限定されない。
【００３２】
開閉弁６３の回動軸６２と直交する方向（液体の通過方向）の一方端部表面には液流を受ける羽根部材６４が設けられている。羽根部材６４は、開閉弁６３の両表面から飛び出た状態に設けられているため、開閉弁６３が開状態にあり、装置本体６１の通液路６１ａ内を液体が通過しているとき、開閉弁６３の両表面から飛び出た羽根部材６４がその液流を受けて開閉弁６３を開状態に保持するようになっている。
【００３３】
また装置本体６１の通液路６１ａ内には、前記開閉弁６３の回動する両端部が当接するストッパー６５が前記開閉弁６３を軸支する回動軸６２とほぼ同じ高さ位置にそれぞれ設けられており、開閉弁６３が通液路６１ａを閉塞した状態を保持するように、その回動範囲が規制されるようになっている。
【００３４】
次に、障害物である締切部の一方の側に溜った水面位置の変動に連動して上記開閉弁を開閉動させる連動部材について説明する。図１〜図６に示す連動部材６６は、障害物（締切部４１）の一方の側に溜った水面上に配されるフロート６７と、障害物（締切部４１）の一方の側に溜った水面位置の変動に伴うフロート６７の位置変化に従って引張弛緩される連結部材６８と、前記連結部材の引張弛緩に伴って装置本体６１の通液路６１ａ内に設けた回動軸６２周りに回動する開閉コック６９とからなる。
【００３５】
フロート６７は、上流側貯留部４２に浮かべて、その水位に従って昇降動するものであれば何でも良く、例えば木、発泡樹脂ブロック、風船などを挙げることができる。このフロート６７に接続される連結部材６８はワイヤーなどからなり、その太さや長さは任意である。この連結部材６８の先端は、装置本体６１に設けたリング状の誘導金具７０を経由して装置本体６１の回動軸６２に一方端が軸支された開閉コック６９の他方端に繋がっている。図示の開閉コック６９は棒状をなす重りであり、その自重によって前記連結部材６８を弛緩方向に付勢するようになっている。
【００３６】
この開閉装置６０によれば、障害物（締切部４１）の一方の側に溜った水面位置が低下したとき、これに伴ってフロート６７の位置が下降すると、これに従って連結部材６８が引張されることになる。連結部材６８が引張されるのに伴って開閉コック６９が回動軸６２周りに回動し、同軸に軸支された開閉弁６３が回動し、その開閉弁６３の回動端部が装置本体６１の通液路６１ａ内に設けたストッパー６５に当接し、該通液路６１ａを閉塞状態に保持する。
【００３７】
一方、障害物（締切部４１）の一方の側に溜った水面位置が上がり、これに伴ってフロート６７の位置が上昇すると、これに従って連結部材６８が弛緩されることになる。連結部材６８が弛緩されると、開閉コック６９がその自重と液体の流れに押されて回動軸６２周りに弛緩方向に回動する。回動軸６２の回動に伴って同軸に軸支された開閉弁６３が回動し、該通液路６１ａを開放する。通液路６１ａの開放により、再びサイホン作用によって送液が開始される。送液が開始されると、開閉弁６３の両表面から飛び出た羽根部材６４がその液流を受けて開閉弁６３を開状態に保持するようになっている。
【００３８】
次に、図７の開閉装置８０について説明する。図７に示す開閉装置８０は、図１〜図６に示すものと同じく、送液用ポンプ５０に直接的に接続される形態を示すものであり、連動部材８１が、障害物の一方の側に溜った水面位置の変動を検知する水位センサー８２と、前記水位センサー８２からの信号を受けて開閉弁６３を開閉動させる駆動部８３とからなるものである。
【００３９】
水位センサー８２は、従来公知の赤外線を用いた水位計など、水位を測定できるものならば何でもよい。また水位センサー８２には、該水位センサー８２によって測定された水位情報を信号化して駆動部８３へと発信する発信部８２ａを有しており、水位センサー８２によって得られた水位情報が駆動部８３へと発信されるようになっている。一方、駆動部８３は、水位センサー８２からの信号を受け取る受信部８３ａと、水位センサー８２から受け取った水位情報に従って、その水位が予め設定された２つの設定水位、すなわち装置本体６１の通液路６１ａを閉塞させるべき下限水位を下回るか否か、或いは通液路６１ａを開放すべき上限水位を上回るか否かを判断する制御部８３ｂと、開閉弁６３を軸支する回動軸６２を回転させて駆動モータ８３ｃとからなり、水位センサー８２から受け取った水位情報に従って、制御部８３ｂが下限水位を下回ると判断した場合には、駆動モータ８３ｃを駆動させて回動軸６２を回転させ、同軸に軸支される開閉弁６３を通液路６１ａが閉塞されるように回動させる。一方、制御部８３ｂが上限水位を上回ると判断した場合には、駆動モータ８３ｃを駆動させて回動軸６２を回転させて開閉弁６３を通液路６１ａが開放されるように回動させる。
【００４０】
尚、水位センサー、発信部、駆動部を構成する受信部、制御部、及び駆動モータとしては特に限定されず、送液ポンプ及び送液管の容量、大きさ（太さ）、使用状況、用途、送液ポンプ及び送液管を流れる液量などを考慮して適宜決定すればよい。
【００４１】
次に、本発明の開閉装置の別の形態を説明する。図８に示す開閉装置１００は、送液用ポンプ１０２に直接接続されず、送液用ポンプ１０２に接続される送液管１０１の端部近傍に接続される形態を示すものであり、内部に通液路を構成する箱形状の装置本体１０３と、前記装置本体１０１内を摺動して通液路を連通させる開放窓１０４ａを下部に有する板状の開閉弁１０４と、障害物の一方の側に溜った水面位置の変動に連動して前記開閉弁１０４を摺動させる連動部材１０５とを備えたものである。
【００４２】
また図８に示す連動部材１０５は、障害物の一方の側に溜った水面上に配されるフロート１０６と、フロート１０６上面に立設固定され、障害物の一方の側に溜った水面位置の変動に伴うフロート１０６の位置変化に従って昇降動する連結杆１０７からなる。
【００４３】
連結杆１０７は、開閉弁１０４下部にその端部が取り付けられており、フロート１０６が水面位置の変動に伴って位置変化するのに従って昇降動するようになっている。このため、例えば水位が低下すると、フロート１０６が下方に位置を変え、これに伴ってフロート１０６上面に立設固定された連結杆１０７が下降し、これにより、該連結杆１０７に繋がる開閉弁１０４が装置本体１０３内を下動して該装置本体１０３の通液路が閉塞されることになる。
【００４４】
一方、水位が上昇すると、フロート１０６が上方に位置を変え、これに伴ってフロート１０６上面に立設固定された連結杆１０７が上降することになる。これにより、該連結杆１０７に繋がる開閉弁１０４が装置本体１０３内を上動して該装置本体１０３の通液路の位置に開閉弁１０４の開放窓１０４ａが位置するようにすることで前記通液路を連通させ、通液が再開されるようになっている。
【００４５】
尚、図示はしないが、装置本体１０３内には開閉弁１０４の上端が当接するストッパーが設けられており、開閉弁１０４が上動したとき、その開放窓１０４ａが通液路に位置するように、上動位置を規制するようになっている。
【００４６】
図９は、連動部材１１１が、障害物の一方の側に溜った水面位置の変動を検知する水位センサー１１２と、開閉弁１０４を上下動させる駆動部１１３とからなる形態を示している。この形態における水位センサー１１２は、図８に示すものと同じであるため、ここでの説明は割愛する。
【００４７】
駆動部１１３は、装置本体１０３に付設されており、水位センサー１１２からの信号を受け取る受信部１１３ａと、水位センサー１１２から受け取った水位情報に従って、その水位が予め設定された２つの設定水位、すなわち装置本体１０３の通液路を閉塞させるべき下限水位を下回るか否か、或いは通液路を開放すべき上限水位を上回るか否かを判断する制御部１１３ｂと、前記開閉弁１０４を上下動させるシリンダー１１３ｃとからなり、水位センサー１１２から受け取った水位情報に従って、制御部１１３ｂが下限水位を下回ると判断した場合には、シリンダー１１３ｃを駆動させて開閉弁１０４を装置本体１０３内で下動させて、通液路が閉塞させる。
【００４８】
一方、制御部１１３ｂが上限水位を上回ると判断した場合には、シリンダー１１３ｃを駆動させて開閉弁１０４を装置本体１０３内で上動させ、該装置本体１０３の通液路の位置に開閉弁１０４の開放窓１０４ａが位置するようにすることで前記通液路を連通させ、通液が再開されるようになっている。
【図面の簡単な説明】
【００４９】
【図１】本発明の開閉装置の全体を示す模式図である。
【図２】本発明の開閉装置の装置本体を示す斜視図である。
【図３】本発明の開閉装置の開状態を示す一部断面拡大図である。
【図４】図３における開閉コック、開閉弁、及び羽根部材を位置を示す拡大平面図である。
【図５】本発明の開閉装置の閉状態を示す一部断面拡大図である。
【図６】図５における開閉コック、開閉弁、及び羽根部材を位置を示す拡大平面図である。
【図７】本発明の開閉装置の別例を示す斜視図である。
【図８】本発明の開閉装置のさらに別の例を示す斜視図である。
【図９】本発明の開閉装置のさらに別の例を示す斜視図である。
【図１０】従来の送水用ポンプを示す模式図である。
【図１１】従来の送水用ポンプの別例を示す模式図である。
【図１２】図１１に示す送水用ポンプとその開閉弁の送水状態（開状態）を示す拡大模式図である。
【図１３】図１１に示す送水用ポンプとその開閉弁の閉鎖状態（閉状態）を示す拡大模式図である。
【符号の説明】
【００５０】
４１・・・締切部
４２・・・上流側貯留部
４３・・・下流側貯留部
４４、１０１・・・送液管
５０、１０２・・・送液用ポンプ
５１・・・水中ポンプ
５２・・・分岐吸液管
６０、８０、１００、１１０・・・開閉装置
６１、１０３・・・装置本体
６１ａ・・・通液路
６２・・・回動軸
６３、１０４・・・開閉弁
１０４ａ・・・開放窓
６４・・・羽根部材
６５・・・ストッパー
６６、８１、１０５、１１１・・・連動部材
６７、１０６・・・フロート
６８・・連結部材
６９・・・開閉コック
８２、１１２・・・水位センサー
８２ａ・・・発信部
８３、１１３・・・駆動部
８３ａ、１１３ａ・・・受信部
８３ｂ、１１３ｂ・・・制御部
８３ｃ・・・駆動モータ
１０７・・・連結杆
１１３ｃ・・・シリンダー
【図１】
2008231983.tif 000003
【図２】
2008231983.tif 000004
【図３】
2008231983.tif 000005
【図４】
2008231983.tif 000006
【図５】
2008231983.tif 000007
【図６】
2008231983.tif 000008
【図７】
2008231983.tif 000009
【図８】
2008231983.tif 000010
【図９】
2008231983.tif 000011
【図１０】
2008231983.tif 000012
【図１１】
2008231983.tif 000013
【図１２】
2008231983.tif 000014
【図１３】
2008231983.tif 000015